(57)【要約】【課題】冷凍庫の冷凍食品を直ぐ取り出せ、冷蔵庫の冷却にムラがなく、収納品の回転率を高め、収納、取り出しに便利で、高さのあるものを倒さず収納でき、底部の収納庫が狭く使いにくい点を解消し、コンパクトで機能性とパフォーマンスが高く、設置面積が小さくて済む冷蔵庫。【解決手段】半円筒形の壁面２を持つ庫内に段差を変えられる回転収納式パレット７を設置する。冷気が円弧に沿って旋回するように冷却ファン３を設置する。背面底部の両隅にコンプレッサー１４等の冷却装置をまとめて設置し、前面のドアに大型ボトル収納部９を設置し、その左右にポケット部１０を設ける。底部には奥行きいっぱいに活用できる収納庫１３をセットする。【選択図】　　図１
2004125370.tif 000002
【特許請求の範囲】
【請求項１】
外形は箱型の冷凍庫・冷蔵庫・野菜庫等を有する冷蔵庫において、冷蔵庫内の壁面が半円筒形を基本とした構造で、冷蔵食品の収納、判別、出し入れが便利で、収納品に死角が出ない機構を持ち、各冷凍庫・冷蔵庫部に対応して効率良く冷凍・冷蔵できる装置を有し、小分けした収納品を整理して冷蔵ができ、容量及び質量の大きいものも倒さず収納できる機能を有していて冷蔵庫全体の隅々まで無駄なく活用され、設置面積が極めて小さくて済むことを特徴とする回転収納式冷蔵庫。
【請求項２】
冷蔵庫内の壁面を縦の半円筒形の構造にすることによって、
壁面より逃げる熱量が少なく、庫内の冷気が壁面に沿って渦流となって効率良く旋回し、冷蔵庫全体の食品等をムラなく適切に冷却できることを特徴とした請求項目１記載の回転収納式冷蔵庫。
【請求項３】
庫内の一部或いは全部の冷凍庫・冷蔵庫等の収納部分に、段差を自由に変えられる回転収納式パレットを設置することによって、冷凍、冷蔵食品の収納、判別、出し入れが便利で、収納部の食品等に目の届かぬ領域を無くし、冷蔵食品の収納等の回転率を高めた機構で、容量や質量の大きいものも倒さず冷蔵・収納できることを特徴とする請求項目１記載の回転収納式冷蔵庫。
【請求項４】
冷蔵庫背面底部の左右の両隅にそれぞれ冷凍庫用・冷蔵庫用の別個の回路で働くコンプレッサーを設置し、冷凍庫部・冷蔵庫部に合った冷却機能を持たせ、コンプレッサーの上部空間には放熱パイプや冷却ファン等の冷却に必要な機構を配置して、冷蔵庫全体がコンパクトで設置面積が極めて小さくてすむことを特徴とした請求項目１記載の回転収納式冷蔵庫。
【請求項５】
底部の収納庫が、背面左右の空間を利用してコンプレッサー等を設置することにより、冷蔵庫の奥行きいっぱいに格段に大きく活用でき、又、円筒形を基本とした庫内の特徴を生かして前面ドア部の左右のポケット部にも高さのあるものを倒さず収納できることを特徴とした請求項目１記載の回転収納式冷蔵庫。
【発明の詳細な説明】
【０００１】
【発明の属する技術分野】
本発明は冷蔵庫の冷却方法・冷却効率、収納・保管・取り出し機能と収納容量・収納空間の拡張及び設置面積に係わる冷蔵庫のコンパクト性や冷蔵庫全体の構成と機能に関するものである。
【０００２】
【従来の技術】
従来の冷蔵庫においては、構造上、庫内も箱型になっているので、冷気の噴出し口に近い上部の食品は凍ってしまい、下部のものは適切な冷却が得られないことが多く、庫内の冷気の循環にムラがあって困っていた。収納方法は、一般的には、食品等を順次積み重ね、押し込み冷蔵する方式で、箱型の引出し式収納庫等なっていて、収納時には問題がないが、取り出し時には、確認して取り出すまでに手間取ることが多く、不便であった。殊に、冷凍庫の食品等は、凍結すると、他の食品とくっ付いてしまい取り出せないこともあって、困り切っていた。箱型の庫内は、視点によっては、奥の両隅が目の届かぬ領域になり易く、利用度が小さくなり、有効に活用されにくかった。冷蔵庫の容量が大きくなるとコンプレッサーも大きくなり、又、背面に放熱板等が設置されるので、その分、奥行きが長くなり、設置場所や配置に苦慮することが多かった。収納部が箱型で個々に分かれていると、大きいものや長さのあるものの冷蔵品は、収納部の高さに制限されて縦にして収納できず、不便な点を感じていた。底部の収納庫部はコンプレッサーを中央に設置するため、収納庫が圧迫され、収納容積が極端に小さくなって、非常に使いにくかった。
【０００３】
【解決しようとする課題】
冷凍庫では冷凍食品が他の物とくっ付いて取り出す時に苦労していた。冷蔵庫内の冷気の循環にムラあり困っていた。小分けした冷蔵食品は、見失いがちで腐らせることも多く、確認と取り出すのにも手間取り、収納方法の発想を変える必要があった。容量や質量の大きいものや高さのあるもの等を倒さず収納できず、不便を感じていた。容量が大きくなる程、冷蔵庫全体のコンパクト性や機能性に欠け、設置面積も大きくなり、台所の配置場所等に苦慮することが多かった。冷蔵庫の底部は収納部がコンプレッサーに圧迫され、小さな収納部になって非常に使い難くかった。
【０００４】
【課題解決するための手段】
本発明の冷蔵庫においては、冷蔵庫の外形は箱型であるが、庫内の一部或いは全部に半円筒形の壁面を持つ構造とし、壁面の面積を小さくすることによってエネルギーの損失を少なくし、且つ、冷気が壁面に沿って過流に旋回し、冷却効果が上がるようにした。
【０００５】
冷蔵食品の収納・確認・取り出し時に便利なように、主要な収納部に回転収納式パレットを配し、収納部に目の届かぬ領域を無くし、収納品の回転率が高まり無駄が出ないようになり、且つ、素早く確認、取り出しが出来るようにした。
【０００６】
収納部の回転収納式パレットの段差を自由に変えられるようにして、容量や質量の大きいものや高さのあるもの等を倒さず収納できるようにし、収納品等を瞬時に確認でき、出し入れに便利で、且つ、倒して収納すれば液漏れが心配な収納品の問題点を解消した。
【０００７】
冷却に係わる機構を、背面の左右コーナーに集中させて設置することにより、下部の収納部分を平面で奥行きいっぱいに活用でき、収納容積を格段に大きくした。又、前面ドア部に取り付けられる大型ボトル収納部の左右のポケットにも高さのあるもの等を倒さず収納できるようにした。
【０００８】
冷蔵庫の上部から下部まで有効に活用することにより、断面が正方形に近く、設置面積が極めて小さくて済み、冷蔵庫の機能性やパフォーマンスを高めて上記の課題を解決した。
【０００９】
【発明の実施の形態】
発明の実施の形態を実施例に基づき図面を参照して説明する。
図１において、冷蔵庫の外箱（１）は、箱型になっており、庫内は半円と形の壁面（２）を持った構造になっている。吹き出す冷気が円周の接線方向に出るように設置された冷却ファン（３）が取り付けられている。上板（４）には、放熱パイプの熱を逃がす複数のポート（５）が設けられている。
冷凍庫部（６）には、回転収納式パレット（７）がセットされ、パレットには、低温でも凍結することなく回転するようにローラー（１９）とガイド板（８）が一体となって取り付けられている。パレットの位置は、必要に応じて段差を変えられる仕組みとなっている。ドア部にセットされる大型ボトル収納部（９）には、左右の両隅にポケット部（１０）があり、高さのあるものを倒さず収納出来る。
冷蔵庫部（１１）には、冷凍庫と同様に回転収納式パレット（７）がセットされていて、上記と同様に冷蔵食品の大小、高さに合わせて段差を自由に変えられ、小分けした食品を庫内で整理して収納出来る機能を有している。ドア部についている収納皿（１２）には、左右の大きな空間を活用した収納部がある。この収納皿の位置は、パレットの位置との関係に合わせ、上下に移動して設置できるようになっている。
底部の収納庫（１３）は、引出し式になっていて、容器は奥行きいっぱい平面に長いもの等を多く収納できる。
コンプレッサー（１４）は冷凍庫・冷蔵庫用として、用途に応じて複数設置され、放熱パイプ（１５）も両コーナーにコンパクトに設置されている。
【００１０】
図２に示す実施例で、ドアに取り付けられる大型ボトル収納部（９）には、庫内の特徴を活用して、左右に大きなポケット部（１０）を設け、高さのある一升瓶等を倒さず収納できる構造になっていて、その中間部（２０）は従来の冷蔵庫の受皿と同様に卵やバター等を収納できる。
【００１１】
図３に示す実施例では、回転収納式パレット（７）をセットする時、ガイド板（８）を溝に差し込む一方法を示す。回転収納式パレット（７）は、セパレーター（１６）と外枠等で構成されていて、収納品によって、これらのセパレーター（１６）や外枠を移動又は倒して、冷蔵品をバラバラにならないように整理して収納でき、且つ、回転させることによって目の届かぬ領域を無くした。回転収納式パレット（７）に一体となっているローラー（１９）は、冷凍庫及び冷蔵庫内のあらゆる条件のもとでも円滑に回転する構造になっている。
【００１２】
【発明の効果】
本発明は、以上説明したように構成されているので、以下に記載されるような効果を奏す。
【００１３】
冷凍庫に回転収納式パレットを設置することにより、冷凍品の出し入れ等を円滑にできる。又、冷蔵食品を整理して収納でき、目の届かぬ領域を無くし、収納食品の回転率を上げることができる。
【００１４】
庫内の壁面を半円筒形にしてエネルギーの損失を少なくし、冷気を旋回することにより庫内をムラなく冷却できる。
【００１５】
回転収納式パレットの段差を変えることによって、高さのあるものを倒さず収納でき、すぐ取り出せる。
【００１６】
ドアにセットされる収納皿のポケット部にも、高さのあるものを倒さず収納できる。
【００１７】
下部の収納庫を引出し式にすることによって、収納庫を平面に奥行きいっぱいに活用でき、長いものや容量のあるものを多数収納することができる。
【００１８】
冷蔵庫の四隅を活用することにより、庫内の容量に比して極めて小さい面積に設置することができ、冷蔵庫の機能性を高めることができる。
【００１９】
冷凍雇用、冷蔵庫用の各々の冷却装置を設置することにより、各庫内に合った適切な冷却ができ、省エネにも役立つ。
【００２０】
冷蔵庫全体の隅々まで有効に活用することにより、冷蔵庫の機能性とパフォーマンスを高めることができる。
【図面の簡単な説明】
【図１】回転収納式冷蔵庫の見取り図である。
【図２】ドアに取り付けられた大型ボトル収納部の平面図と正面図である。
【図３】回転収納式パレットの平面図と正面図である。
【符号の説明】
１　　　外箱
２　　　半円筒型の庫内
３　　　冷却ファン
４　　　上板
５　　　ポート
６　　　冷凍庫部
７　　　回転収納式パレット
８　　　ガイド板
９　　　ドア部
１０　　　ポケット部
１１　　　冷蔵庫部
１２　　　収納皿
１３　　　収納庫
１４　　　コンプレッサー
１５　　　放熱パイプ
１６　　　可動セパレーター
１７　　　差込み部
１８　　　パレット外壁
１９　　　ローラー
２０　　　中間収納部
【図１】
2004125370.tif 000003
【図２】
2004125370.tif 000004
【図３】
2004125370.tif 000005